(57)【要約】【課題】簡易な構成でＲＡＮ内の移動端末の位置を管理する情報と、データを転送制御する情報とを効率良く管理してデータ転送する通信装置を得ること。【解決手段】移動端末と無線通信を介してデータ通信を行う無線アクセスネットワーク内で移動端末と通信を行う際のデータ転送に関する設定を行なうＲＮＣ１において、移動端末と通信を行う際に用いる移動端末を識別する識別情報に、移動端末のＩＰアドレスに関する情報を設定するＩＰアドレス設定手段１３１と、ＩＰアドレス設定手段１３１が設定した移動端末の識別情報を移動端末に送信する通信Ｉ／Ｆ部１１と、ＩＰアドレス設定手段１３１が設定した識別情報に基づいて、所定の転送先に移動端末へのデータを転送する転送管理部１３と、を備える。【選択図】        図２
2007251806.tif 000002
【特許請求の範囲】
【請求項１】
移動端末と無線通信を介してデータ通信を行う無線アクセスネットワーク内で前記移動端末と通信を行う際のデータ転送に関する設定を行なう通信装置において、
前記移動端末と通信を行う際に用いる前記移動端末を識別する識別情報に、前記移動端末のＩＰアドレスに関する情報を設定する転送設定部と、
前記転送設定部が設定した移動端末の識別情報を前記移動端末に送信する通信部と、
前記転送設定部が設定した前記識別情報に基づいて、所定の転送先に前記移動端末へのデータを転送するデータ転送部と、
を備えることを特徴とする通信装置。
【請求項２】
前記転送設定部が設定した前記識別情報と前記移動端末へ送信するデータの転送先との対応付けに関する対応付け情報を記憶する記憶部をさらに備え、
前記データ転送部は、前記転送設定部が設定した前記識別情報および前記記憶部が記憶する第１の対応付け情報に基づいて、前記移動端末へ転送するデータに対応する所定の転送先を抽出し、抽出した転送先に前記移動端末へのデータを転送することを特徴とする請求項１に記載の通信装置。
【請求項３】
前記無線アクセスネットワーク内のサブネットワークに設定するサブネットワークアドレスは、前記サブネットワークの構成に基づいた階層化構造を有し、
前記データ転送部は、前記サブネットワークドレスを前記転送先に設定して前記移動端末へのデータを転送することを特徴とする請求項１または２に記載の通信装置。
【請求項４】
前記データ転送部がデータ転送する転送先は、前記移動端末と所定のセル内で無線通信を行う無線基地局であることを特徴とする請求項１〜３のいずれか１つに記載の通信装置。
【請求項５】
前記移動端末と所定のセル内で無線通信を行う無線基地局の機能をさらに備え、
前記データ転送部がデータ転送する転送先は、前記移動端末と無線通信を行う前記セルであることを特徴とする請求項１〜４のいずれか１つに記載の通信装置。
【請求項６】
無線アクセスネットワーク内で移動端末と無線通信を介してデータ通信を行うとともに、前記移動端末と通信を行う際のデータ転送に関する設定を行なう通信装置と接続し、前記移動端末と前記通信装置との間のデータ転送を行う情報転送装置において、
前記通信装置が設定する前記移動端末と通信を行う際に用いる前記移動端末を識別する識別情報と前記移動端末へ送信するデータの転送先との対応付けに関する第１の対応付け情報を記憶する記憶部と、
前記通信装置が設定した前記識別情報および前記記憶部が記憶する第１の対応付け情報に基づいて、前記移動端末へのデータを転送するデータ転送部と、
を備えることを特徴とする情報転送装置。
【請求項７】
前記無線アクセスネットワーク内のサブネットワークに設定するサブネットワークアドレスは、前記サブネットワークの構成に基づいた階層化構造を有し、
前記データ転送部は、前記サブネットワークアドレスを前記移動端末へのデータの転送先に設定して前記移動端末へのデータを転送することを特徴とする請求項６に記載の情報転送装置。
【請求項８】
前記データ転送部がデータ転送する際の転送先は、前記移動端末と無線通信を行うセルであることを特徴とする請求項６または７に記載の情報転送装置。
【請求項９】
前記記憶部は、前記通信装置に対応するサブネットワークと前記通信装置に転送するデータの転送先との対応付けに関する第２の対応付け情報を記憶し、
前記データ転送部は、前記移動端末から受信したデータ内の前記識別情報に基づいて、前記移動端末から受信したデータの転送先である前記通信装置のサブネットワークを特定し、特定した通信装置のサブネットワークおよび前記記憶部が記憶する第２の対応付け情報に基づいて、前記通信装置へのデータを転送することを特徴とする請求項６〜８のいずれか１つに記載の情報転送装置。
【発明の詳細な説明】
【技術分野】
【０００１】
本発明は、無線アクセスネットワーク内で移動端末とＩＰデータの送受信を行う通信装置および情報転送装置に関するものである。
【背景技術】
【０００２】
移動端末が無線通信によって通信ネットワークと接続する技術の１つとして、無線アクセスネットワーク（ＲＡＮ（Radio Access Network））を利用したシステムがある。この無線アクセスネットワークでは、移動端末が移動端末の位置に応じた無線基地局（ＢＴＳ（Base Transceiver Station））と接続し無線通信を行う。このとき、無線基地局を収容する無線基地局制御装置（ＲＮＣ（Radio Network Controller））が、移動端末の位置管理を行なうとともに、移動端末との間で送受信するＩＰデータの転送制御を管理している。
【０００３】
例えば、３ＧＰＰ（third Generation Partnership Project）標準仕様ＴＳ  ２５．４０１  Ｖ５．９．０（第１８ページ）では、無線アクセスネットワークでのデータ転送の際、ＲＮＣは、収容している移動端末（移動局）を一意に識別可能とする識別子（ＲＮＴＩ（Radio Network Temporary Identifier））で識別し、このＲＮＴＩに基づいてデータの転送制御を行なっている。
【０００４】
しかしながら、このＲＮＴＩはＲＡＮ内のネットワークトポロジ（例えばＩＰネットワークトポロジ）を示していないため、例えばＲＮＣから移動端末に共通チャネルでデータ送信する場合、ＲＮＣではＲＮＴＩに基づいて移動端末を収容するＢＴＳ（セル）のＩＤを特定しなければならない。そして、ＲＮＣでは、ＲＮＴＩに基づいて特定したＢＴＳ（セル）のＩＤに対応するＢＴＳ（セル）のＩＰアドレス等を特定する処理（ＲＮＴＩをＩＰネットワークトランスポート識別情報へ変換する処理）が必要となる。
【０００５】
また、ＢＴＳにおいてもＲＮＣからデータを受信した場合、内部に保持しているＩＰアドレスとセル番号を変換するデータベースを用いて受信パケットの宛先ＩＰアドレスから宛先セルを特定し、無線リンク（移動端末）に送信する必要がある。このため、このようなＲＡＮ内での移動端末の位置管理を容易に行なう技術の検討がなされている。
【０００６】
特許文献１に記載の移動体通信システムは、ＩＰ網上に位置管理システムとして位置管理ゲートキーパを配置している。そして、位置管理ゲートキーパが移動体端末の位置情報を管理し、呼制御を行うゲートキーパと連動させることで、着信先の移動体端末の呼制御パス確立に必要なＩＰアドレスを解決し、移動体端末におけるＩＰ網通信を提供している。
【０００７】
【特許文献１】特開２００２−２３２４５５号公報
【発明の開示】
【発明が解決しようとする課題】
【０００８】
しかしながら、上記従来の技術では、ＩＰ網上に位置管理ゲートキーパを配置する必要があり、移動体通信システムの構成が複雑になるという問題点があった。また、送信先の移動端末の識別子とＲＡＮ内のＩＰネットワーク転送情報を変換する処理が必要となり、データ転送遅延が発生するという問題点があった。また、移動端末の位置管理情報と、ＲＡＮ内のＩＰネットワーク転送情報をＲＮＴＩを用いて二元管理する必要があり、移動端末の位置情報の管理が複雑になるという問題点があった。
【０００９】
本発明は、上記に鑑みてなされたものであって、簡易な構成で容易にＲＡＮ内の移動端末の位置を管理する情報と、データを転送制御する情報とを効率良く管理してデータ転送する通信装置および情報転送装置を得ることを目的とする。
【課題を解決するための手段】
【００１０】
上述した課題を解決し、目的を達成するために、本発明は、移動端末と無線通信を介してデータ通信を行う無線アクセスネットワーク内で前記移動端末と通信を行う際のデータ転送に関する設定を行なう通信装置において、前記移動端末と通信を行う際に用いる前記移動端末を識別する識別情報に、前記移動端末のＩＰアドレスに関する情報を設定する転送設定部と、前記転送設定部が設定した移動端末の識別情報を前記移動端末に送信する通信部と、前記転送設定部が設定した前記識別情報に基づいて、所定の転送先に前記移動端末へのデータを転送するデータ転送部と、を備えることを特徴とする。
【発明の効果】
【００１１】
この発明によれば、移動端末と通信を行う際に用いる移動端末を識別する識別情報に移動端末のＩＰアドレスに関する情報を設定し、この識別情報に基づいて所定の転送先に移動端末へのデータを転送するので、無線アクセスネットワーク内での移動端末の位置に関する情報および移動端末へのデータ転送に関する情報を簡易な構成で効率良く管理することが可能になるという効果を奏する。
【発明を実施するための最良の形態】
【００１２】
以下に、本発明にかかる通信装置および情報転送装置の実施の形態を図面に基づいて詳細に説明する。なお、この実施の形態によりこの発明が限定されるものではない。
【００１３】
実施の形態１．
図１は、本発明にかかる通信システムの実施の形態１の構成を示す図である。通信システム１００は、無線アクセスネットワーク（ＲＡＮ（Radio Access Network））においてＩＰデータ転送を行なう通信システムであり、無線基地局制御装置（ＲＮＣ（Radio Network Controller））３、無線基地局（ＢＴＳ（Base Transceiver Station））２、移動端末（ＭＳ（Mobile Station））１を含んで構成されている。ここでのＲＡＮは、例えば３ＧＰＰに規定されるＲＡＮである。
【００１４】
ＲＮＣ３は、移動端末１と接続するＢＴＳ２を収容している。ＲＮＣ３は、ＲＡＮ（移動端末１とＲＮＣ３の間）内の装置（ＢＴＳ、セルなど）の接続位置（接続状態）などに関する管理（位置管理）と、ＲＡＮ内でのデータ転送の制御に関する管理（ＲＡＮ内の装置のアドレスなどの管理）を行う。
【００１５】
ＲＮＣ３は、ＢＴＳ２に対応するセルの情報などを位置管理情報として記憶するとともに、ＢＴＳ２などのＩＰアドレスを転送制御する情報をＩＰネットワーク転送情報として記憶し、この位置管理情報とＩＰネットワーク転送情報を用いて、ＲＡＮ内のデータ転送を行なう。実施の形態１では、ＲＮＣ３が位置管理情報とＩＰネットワーク転送情報をＲＮＴＩに設定する移動端末１のＩＰアドレスを用いて一元管理する。
【００１６】
ＢＴＳ２は、ＲＮＣ３と移動端末１との間のデータ転送を行なう。ここでのＢＴＳ２は、ＲＮＣが管理する情報（位置管理情報、ＩＰネットワーク転送情報）に基づいて、ＲＡＮ内でのデータ転送を行なう。
【００１７】
なお、ここでは図示していないが、ＲＮＣ３はコアネットワークなどと接続しており、このコアネットワークを介して他のＲＮＣと接続している。この他のＲＮＣは、例えばＢＴＳを介して移動端末などと接続している。
【００１８】
移動端末１は、携帯電話やＰＨＳ（Personal Handyphone System）などの移動しながら無線通信を行う通信端末であり、ここではＲＮＣ３のデータ転送制御に基づいてＢＴＳ２との間で無線通信（ＩＰデータ通信）を行なう。移動端末１は、ＢＴＳ２のセル４内でＢＴＳ２と無線通信を行う。
【００１９】
つぎに、ＲＮＣ１の構成について説明する。図２は、ＲＮＣの構成を示すブロック図である。ＲＮＣ１は、通信Ｉ／Ｆ部（通信部）１１、記憶部１２、転送管理部（データ転送部）１３、メッセージ作成部１４、制御部１９を有している。
【００２０】
通信Ｉ／Ｆ部１１は、ＢＴＳ２やコアネットワークと通信を行う通信インタフェースである。記憶部１２は、移動端末１の位置管理に関する情報（位置管理情報）、ＩＰネットワーク内でのデータの転送制御に関する情報（ＩＰネットワーク転送情報）を記憶する。記憶部１２は、移動端末１に割当てるＲＮＴＩ（Radio Network Temporary Identifier）を位置管理情報、ＩＰネットワーク転送情報として記憶する。
【００２１】
転送管理部１３は、移動端末１から送信されたメッセージ（後述の接続要求メッセージ）内に設定されているメッセージの送信アドレス、メッセージの受信アドレス（後述のアドレス情報）に基づいて、移動端末１が接続要求メッセージを送信する際に用いたセルを特定する。
【００２２】
転送管理部１３は、ＩＰアドレス設定手段（転送設定部）１３１を備えており、ＩＰアドレス設定手段１３１は、接続要求メッセージから特定したセル４内で移動端末１に割当て可能なＩＰアドレスであって、未使用のＩＰアドレスを移動端末１のＲＮＴＩとして割当てる。
【００２３】
メッセージ作成部１４は、接続要求メッセージに対応する接続設定のためのメッセージ（後述の接続設定メッセージ）を作成し、移動端末１が接続要求メッセージを送信する際に用いたセル（転送管理部１３が特定したセル）に送信する。メッセージ作成部１４は、接続設定メッセージにＲＮＴＩ（ＩＰアドレス）を付加するとともに、この接続設定メッセージに送信元アドレスと受信先アドレスを設定して移動端末１に送信する。メッセージ作成部１４は、接続要求メッセージに基づいて、接続設定メッセージに送信元アドレスと受信先アドレスを設定する。制御部１９は、通信Ｉ／Ｆ部１１、記憶部１２、転送管理部１３を制御する。
【００２４】
つぎに、図１を参照して通信システム１００の動作手順を説明する。移動端末１は、ＣＲＮＴＩ(Connection Radio Network Temporary Identifier)を任意に割り当て、このＣＲＴＩ（ＣＲＮＴＩ＝ｙ）をＲＲＣ（Radio Resource Control）＿Ｃｏｎｎｅｃｔｉｏｎ  Ｒｅｑｕｅｓｔメッセージ（以下、接続要求メッセージという）に含めてＲＮＣ３に送信する。
【００２５】
ここでのＣＲＮＴＩは、移動端末１を識別する識別情報であり、ＲＮＣ３との間で接続設定を行なう際の前段階として、移動端末１が便宜上設定する仮の識別情報である。また、接続要求メッセージは、移動端末１がＲＮＣ３に接続設定を要求するためのメッセージであり、移動端末１とＵＴＲＡＮ（UMTS Terrestrial Radio Access Network）とのＲＲＣによる１対１の接続を要求するメッセージである。
【００２６】
移動端末１からの接続要求メッセージは、ＢＴＳ２を介してＲＮＣ３に送信される。このとき、ＢＴＳ２は、移動端末１からの接続要求メッセージに対し、データパケットを送信するＳＡ（Source Address）のアドレスと、データパケットを受信するＤＡ（Destination Address）のアドレスを付加する。具体的には、ＤＡ（受信アドレス）をＲＮＣ３のアドレスとし、ＳＡ（送信アドレス）をセル４（移動端末１から接続要求メッセージが送信されたセル）のアドレス（ｃｅｌｌ＃０）とした情報（以下、アドレス情報という）を接続要求メッセージに付加する。
【００２７】
ＲＮＣ３は、ＢＴＳ２からの接続要求メッセージを通信Ｉ／Ｆ部１１を介して受信する。ＲＮＣ３の転送管理部１３は、接続要求メッセージ内に設定されているアドレス情報に基づいて、移動端末１が接続要求メッセージを送信する際に用いたセル４（ＢＴＳ２）を特定する。
【００２８】
さらに、ＲＮＣ３の転送管理部１３のＩＰアドレス設定手段１３１は、特定したセル４内で移動端末１に割当て可能なＩＰアドレスであって、未使用のＩＰアドレス（ＩＰアドレス＝ｘ）を移動端末１のＲＮＴＩとして割当てる。このＲＮＴＩ（ＩＰアドレス＝ｘ）は、移動端末１を識別する情報（識別情報）である。すなわち、実施の形態１では、ＲＮＣ３が移動端末１の識別情報して割当てるＲＮＴＩとして、ＩＰアドレスを適用する。
【００２９】
ＲＮＣ３の記憶部１２は、ＩＰアドレス設定手段１３１が移動端末１のＲＮＴＩに割当てたＩＰアドレスを記憶しておく。このＲＮＴＩ（ＩＰアドレス）は、セル４内で割当て可能なＩＰアドレスであるため、ＲＮＣ３は割当てたＩＰアドレスに基づいて移動端末１の位置を管理することが可能となる。また、ＲＮＴＩは、ＲＮＣ３と移動端末１がそれぞれ記憶して管理する情報であるため、ＲＮＣ３はこのＲＮＴＩに基づいてＩＰネットワーク内でのデータの転送制御に関する情報を管理することが可能となる。
【００３０】
これにより、ＲＮＣ３では、ＲＡＮアクセス時（ＲＲＣのコネクション設定時）に移動端末１に割当てるＲＮＴＩとしてＩＰアドレスを適用でき、移動端末１の位置管理に関する情報（位置管理情報）と、ＩＰネットワーク内でのデータの転送制御に関する情報（ＩＰネットワーク転送情報）とを、ＲＮＴＩ（ＩＰアドレス設定）で一元化して管理できる。
【００３１】
ＲＮＣ３のメッセージ作成部１４は、移動端末１に割当てたＲＮＴＩ（ＩＰアドレス＝ｘ）とＣＲＮＴＩ（ＣＲＮＴＩ＝ｙ）を含むＲＲＣ＿Ｃｏｎｎｅｃｔｉｏｎ  Ｓｅｔｕｐメッセージ（以下、接続設定メッセージという）を作成する。メッセージ作成部１４は、、この接続設定メッセージに送信元アドレスと受信先アドレスを設定しておく。具体的には、ＤＡ（受信アドレス）をＢＴＳ２（＃０）に対応するセル４のアドレス（ｃｅｌｌ＃０）とし、ＳＡ（送信アドレス）をＲＮＣ３のアドレスに設定したアドレス情報を接続設定メッセージに付加する。すなわち、ここでのメッセージ作成部１４は、ＢＴＳ２（＃０）のセル４（＃０）に割当られているＩＰアドレスを宛先ＩＰアドレス（送信アドレス）として設定する。そして、ＲＮＣ３は、通信Ｉ／Ｆ部１１を介してこの接続設定メッセージをＢＴＳ２に送信する。
【００３２】
ＢＴＳ２は、ＲＮＣ３からの接続設定メッセージを受信する。ＢＴＳ２は、受信した接続設定メッセージに含まれるアドレス情報の宛先ＩＰアドレスがセル４（＃０）宛てであるため、受信した接続設定メッセージ（ＩＰパケット）のメッセージ部を抽出し、セル４（＃０）の無線リンク（移動端末１）に送信（転送）する。このとき、ＢＴＳ２から移動端末１へ送信される接続設定メッセージは、ＲＮＴＩ（ＲＮＴＩ＝ｘ）とＣＲＮＴＩ（ＣＲＮＴＩ＝ｙ）を含んでいる。
【００３３】
移動端末１は、ＢＴＳ２から送信された接続設定メッセージを受信する。移動端末１は、受信した接続設定メッセージに含まれるＣＲＮＴＩ（ＣＲＮＴＩ＝ｙ）が、自らがＲＮＣ３へ送信した接続要求メッセージで設定したＣＲＮＴＩ（ＣＲＮＴＩ＝ｙ）と同一であるので、この接続設定メッセージは自分宛のメッセージであると判断する。そして、移動端末１は、自分宛ての接続設定メッセージに含まれるＲＮＴＩ（ＲＮＴＩ＝ｘ）を自身に割り当てられたＲＮＴＩであると認識する。
【００３４】
これにより、ＢＴＳ２では、受信した接続設定メッセージに含まれるアドレス情報の宛先ＩＰアドレスが自身の収容するセルであるか否かを確認して、接続設定メッセージを無線リンクに転送すればよいので、接続設定メッセージの転送を容易かつ迅速に行なえる。
【００３５】
なお、通信システムは、ＲＮＣ３、ＢＴＳ２、移動端末１によって構成される場合に限られず、無線基地局制御装置の機能を併せ持つＢＴＳ（無線基地局の機能を備えたＲＮＣ）、移動端末によって構成してもよい。ここで、通信システムが無線基地局制御装置の機能を併せ持つＢＴＳ、移動端末によって構成される場合について説明する。
【００３６】
図３は、本発明にかかる通信システムの実施の形態１の他の構成を示す図である。なお、ここでは図３の各構成要素のうち図１に示す通信システム１００と同一機能を達成する構成要素については同一番号を付しており、重複する説明は省略する。
【００３７】
通信システム１０１は、通信システム１００と同様の機能を備えた通信システムであり、無線基地局制御装置（ＲＮＣ３）の機能を備えるＢＴＳ２１、移動端末１を含んで構成されている。
【００３８】
ＢＴＳ２１は、移動端末１の位置に関する管理と、ＲＡＮ内（移動端末１とＢＴＳ２１の間）でのデータ転送の制御に関する管理を行う。ＢＴＳ２１は、移動端末１の位置管理情報、データの転送制御に関するＩＰネットワーク転送情報に基づいて、ＲＡＮ内でのデータ転送を行なう。
【００３９】
なお、ここでは図示していないが、ＢＴＳ２１はコアネットワークなどと接続しており、このコアネットワークを介して他のＲＮＣやＢＴＳ（ＲＮＣの機能を備えたＢＴＳ）と接続している。ここでの移動端末１は、ＢＴＳ２１のデータ転送制御に基づいてＢＴＳ２１のセル４内でＢＴＳ２１と無線通信（ＩＰデータ通信）を行なう。
【００４０】
つぎに、ＲＮＣの機能を備えたＢＴＳ２１の構成について説明する。図４は、ＲＮＣの機能を備えたＢＴＳの構成を示すブロック図である。なお、図４の各構成要素のうち図２に示したＲＮＣ３やＢＴＳ２と同一機能を達成する構成要素については同一番号を付しており、重複する説明は省略する。
【００４１】
ＢＴＳ２１は、通信Ｉ／Ｆ部１１、記憶部１２、転送管理部１３、メッセージ作成部１５、制御部１９を有している。メッセージ作成部１５は、接続要求メッセージに対応する接続設定メッセージを作成し、移動端末１が接続要求メッセージを送信する際に用いたセル（転送管理部１３が特定したセル）に送信する。メッセージ作成部１４は、接続設定メッセージにＲＮＴＩ（ＩＰアドレス）を付加して移動端末１に送信する。制御部１９は、通信Ｉ／Ｆ部１１、記憶部１２、転送管理部１３、メッセージ作成部１５を制御する。
【００４２】
つぎに、図３を参照して通信システム１０１の動作手順を説明する。移動端末１は、ＣＲＮＴＩを任意に割り当て、このＣＲＮＴＩ（ＣＲＮＴＩ＝ｙ）をＲＲＣの接続要求メッセージに含めてＢＴＳ２１に送信する。
【００４３】
ＢＴＳ２１は、移動端末１からの接続要求メッセージを通信Ｉ／Ｆ部１１を介して受信する。ＢＴＳ２１の転送管理部１３は、接続要求メッセージ内に設定されているアドレス情報に基づいて、移動端末１が接続要求メッセージを送信する際に用いたセル４を特定する。
【００４４】
さらに、ＢＴＳ２１の転送管理部１３のＩＰアドレス設定手段１３１は、特定したセル４内で移動端末１に割当て可能なＩＰアドレスであって、未使用のＩＰアドレス（ＩＰアドレス＝ｘ）を移動端末１のＲＮＴＩとして割当てる。
【００４５】
ＢＴＳ２１の記憶部１２は、ＩＰアドレス設定手段１３１が移動端末１のＲＮＴＩに割当てたＩＰアドレスを記憶しておく。このＲＮＴＩ（ＩＰアドレス）は、セル４内で割当て可能なＩＰアドレスであるため、ＢＴＳ２１は割当てたＩＰアドレスに基づいて移動端末１の位置を管理することが可能となる。また、ＲＮＴＩは、ＢＴＳ２１と移動端末１がそれぞれ記憶して管理する情報であるため、ＢＴＳ２１はこのＲＮＴＩに基づいてＩＰネットワーク内でのデータの転送制御に関する情報を管理することが可能となる。
【００４６】
ＢＴＳ２１のメッセージ作成部１５は、移動端末１に割当てたＲＮＴＩ（ＩＰアドレス＝ｘ）とＣＲＮＴＩ（ＣＲＮＴＩ＝ｙ）を含む接続設定メッセージを作成し、セル４（＃０）の無線リンク（移動端末１）に送信する。
【００４７】
移動端末１は、ＢＴＳ２１から送信された接続設定メッセージを受信する。移動端末１は、受信した接続設定メッセージに含まれるＣＲＮＴＩ（ＣＲＮＴＩ＝ｙ）が、自らがＢＴＳ２１へ送信した接続要求メッセージで設定したＣＲＮＴＩ（ＣＲＮＴＩ＝ｙ）と同一であるので、この接続設定メッセージは自分宛のメッセージであると判断する。そして、移動端末１は、自分宛ての接続要求メッセージに含まれるＲＮＴＩ（ＲＮＴＩ＝ｘ）を自身に割り当てられたＲＮＴＩであると認識する。
【００４８】
これにより、ＢＴＳ２１では、ＲＡＮアクセス時（ＲＲＣのコネクション設定時）に移動端末１に割当てるＲＮＴＩとしてＩＰアドレスを適用でき、移動端末１の位置管理に関する情報（位置管理情報）と、ＩＰネットワーク内でのデータの転送制御に関する情報（ＩＰネットワーク転送情報）とを、ＲＮＴＩ（ＩＰアドレス設定）で一元化して管理できる。
【００４９】
このように、実施の形態１によれば、ＲＮＣ３やＲＮＣ３の機能を備えたＢＴＳ２１が、位置管理情報とＩＰネットワーク転送情報とをＲＮＴＩ（ＩＰアドレス設定）で一元化して管理できるので、ＲＡＮ内の各装置の位置管理情報（装置同士の接続に関する情報など）と、ＩＰネットワーク転送情報（各装置のＩＰアドレスに関する情報など）を、既存の３ＧのＲＡＮで簡素化して効率良く管理することが可能となる。
【００５０】
実施の形態２．
つぎに、図５および図６を用いてこの発明の実施の形態２について説明する。実施の形態２では、移動端末にＲＮＴＩとして割当てるＩＰアドレスとしてＩＰサブネットワーク構成に基づいたＩＰアドレスを適用する。
【００５１】
図５は、本発明にかかる通信システムの実施の形態２の構成を示す図である。なお、図５の各構成要素のうち図１に示した通信システム１００と同一機能を達成する構成要素については同一番号を付しており、重複する説明は省略する。
【００５２】
通信システム１０２は、ＲＮＣ３、１〜複数のＢＴＳ２、１〜複数の移動端末を含んで構成されている。ＲＡＮ内では、ＲＮＣ３が最上層であり、ＲＮＣ３は配下に１〜複数のＢＴＳ２で構成するサブネットワークを収容している。ここでは、ＲＮＣ３が、配下にＢＴＳ２（＃１）〜ＢＴＳ２（＃ｎ）（ｎは自然数）で構成するサブネットワーク５１を収容している場合を通信システム１０２の一例として示している。
【００５３】
また、各ＢＴＳ２のサブネットワーク５１の配下には、ＢＴＳ２の配下の１〜複数のセル４で構成するサブネットワークを収容している。ここでは、ＢＴＳ２（＃１）が、ＢＴＳ２（＃１）配下のセル４（＃１）〜セル４（＃ｍ）（ｍは自然数）で構成するサブネットワーク５２を収容している場合を示している。
【００５４】
さらに、各セル４のサブネットワークの配下には、各セル４に収容されている１〜複数の移動端末１のＩＰアドレスを収容しており、ＩＰサブネットワークを構成している。ここでは、セル４（＃１）に２つの移動端末１Ａ，１Ｂ（ＩＰアドレス）が収容されている場合を一例として示している。なお、移動端末１Ａ，１Ｂは、実施の形態１で説明した移動端末１と同様の機能を達成する移動端末である。
【００５５】
ＲＮＣ３には、ＲＡＮ内の最上位のサブネットワークアドレスとして、「Ａ．０．０．０」を割当てておく。また、ＲＮＣ３の配下に収容されている各ＢＴＳ２（＃１）〜ＢＴＳ２（＃ｎ）には、ＲＮＣ３に収容されるサブネットワーク５１のサブネットワークアドレスとして、それぞれ「Ａ．１．０．０」〜「Ａ．ｎ．０．０」を割当てておく。
【００５６】
また、ＢＴＳ２（＃１）の配下に収容される各セル４（＃１）〜セル（＃ｍ）には、ＢＴＳ２（＃１）に収容されるサブネットワーク５２のサブネットワークアドレスとして、それぞれ「Ａ．１．１．０」〜「Ａ．１．ｍ．０」を割当てておく。
【００５７】
さらに、セル４（＃１）に収容される各移動端末１Ａ，１Ｂには、セル４（＃１）のサブネットワーク５２に収容されるＩＰアドレスとして、それぞれ「Ａ．１．１．１」、「Ａ．１．１．２」を割り当てておく。
【００５８】
これにより、ＲＮＣ３、ＢＴＳ２を含むＩＰネットワーク化されたＲＡＮ内において、移動端末識別子（ＲＮＴＩ）を移動端末１Ａ，１Ｂへデータ転送する際のＩＰ転送情報として利用することが可能となる。また、ＩＰアドレスがサブネットワークの構成に基づいた階層化構造であるので、ＢＴＳ２はＲＮＴＩから抽出したＩＰアドレスを送信先のＩＰアドレスに変換することなく、容易にデータ転送することが可能となる。
【００５９】
なお、通信システムは、ＲＮＣ３、ＢＴＳ２、移動端末１Ａ，１Ｂによって構成される場合に限られず、無線基地局制御装置の機能を併せ持つＢＴＳ２１、移動端末１Ａ，１Ｂによって構成してもよい。ここで、通信システムが無線基地局制御装置の機能を併せ持つＢＴＳ２１、移動端末１Ａ，１Ｂによって構成される場合について説明する。
【００６０】
図６は、本発明にかかる通信システムの実施の形態２の他の構成を示す図である。なお、ここでは図６の各構成要素のうち図１，３，５に示す通信システム１００〜１０２と同一機能を達成する構成要素については同一番号を付しており、重複する説明は省略する。
【００６１】
通信システム１０３は、通信システム１０２と同様の機能を備えた通信システムであり、無線基地局制御装置（ＲＮＣ３）の機能を併せ持つＢＴＳ２１、移動端末１を含んで構成されている。
【００６２】
通信システム１０３は、ＲＮＣ３の機能を備えたＢＴＳ２１、１〜複数の移動端末を含んで構成されている。ＲＡＮ内では、ＲＮＣ３の機能を備えたＢＴＳ２１が最上層であり、ＢＴＳ２１のサブネットワークの配下には、ＢＴＳ２１の配下の１〜複数のセル４で構成するサブネットワークを収容している。ここでは、ＢＴＳ２１（＃１）が、ＢＴＳ２１（＃１）配下のセル４（＃１）〜セル４（＃ｍ）（ｍは自然数）で構成するサブネットワーク５２を収容している場合を示している。
【００６３】
さらに、各セル４のサブネットワークの配下には、各セル４に収容されている１〜複数の移動端末１のＩＰアドレスを収容しており、ＩＰサブネットワークを構成している。ここでは、セル４（＃１）に２つの移動端末１Ａ，１Ｂ（ＩＰアドレス）が収容されている場合を示している。
【００６４】
ＲＮＣ３の機能を備えたＢＴＳ２１（＃１）には、ＲＡＮ内の最上位のサブネットワークアドレスとして、「Ａ．１．０．０」を割当てておく。また、ＢＴＳ２１（＃１）の配下に収容される各セル４（＃１）〜セル（＃ｍ）には、ＢＴＳ２（＃１）に収容されるサブネットワーク５２のサブネットワークアドレスとして、それぞれ「Ａ．１．１．０」〜「Ａ．１．ｍ．０」を割当てておく。
【００６５】
さらに、セル４（＃１）に収容される各移動端末１Ａ，１Ｂには、セル４（＃１）のサブネットワーク５２に収容されるＩＰアドレスとして、それぞれ「Ａ．１．１．１」、「Ａ．１．１．２」を割り当てておく。
【００６６】
これにより、ＢＴＳ２１を含むＩＰネットワーク化されたＲＡＮ内において、移動端末識別子（ＲＮＴＩ）を移動端末１Ａ，１Ｂへデータ転送する際の転送制御情報として利用することが可能となる。また、ＩＰアドレスがネットワークの構成を示す階層化された構成であるので、ＢＴＳ２１はＲＮＴＩから抽出したＩＰアドレスを送信先のＩＰアドレスに変換することなく、容易にデータ転送することが可能となる。
【００６７】
このように実施の形態２によれば、各移動端末１Ａ，１ＢにＲＮＴＩとして割当てるＩＰアドレスとしてＩＰサブネットワーク構成に基づいたＩＰアドレスを適用するので、移動端末識別子をＩＰネットワーク化されたＲＡＮ内で移動端末へデータ転送する際の転送制御情報として利用可能となる。したがって、ＢＴＳ２やＢＴＳ２１は、簡易な構成で迅速にデータ転送を行うことが可能となる。
【００６８】
実施の形態３．
つぎに、図７および図８を用いてこの発明の実施の形態３について説明する。実施の形態３では、ＲＮＣ３とＢＴＳ２が、受信データの宛先ＩＰアドレスなどに対応するＲＮＴＩから、次に送信先となる装置のＩＰアドレス（転送先）と、セル番号などの送信リンクの種別を決定するための情報テーブル（後述のＩＰアドレスルーティングテーブル６１，６２）をそれぞれ記憶しておく。そして、ＲＡＮ内では、このＩＰアドレスルーティングテーブル６１，６２に基づいて、ＲＮＣ３からの下りデータの転送をＩＰルーティング転送する。
【００６９】
図７は、本発明にかかる通信システムの実施の形態３の構成を示す図である。なお、図７の各構成要素のうち図１に示した通信システム１００と同一機能を達成する構成要素については同一番号を付しており、重複する説明は省略する。
【００７０】
通信システム１０４は、通信システム１００と同様の機能を備えた通信システムであり、ＲＮＣ３、ＢＴＳ２がそれぞれＩＰアドレスルーティングテーブル６１，６２を記憶している。すなわち、ＲＮＣ３、ＢＴＳ２（＃０）は、受信データの宛先ＩＰアドレスまたは受信データの宛先ＩＰアドレスに対応するＲＮＴＩ（ＩＰアドレスが設定されたＲＮＴＩ）から、次に送信先となる装置のＩＰアドレスと、セル番号などの送信リンク種別を決定するためのＩＰアドレスルーティングテーブル６１，６２をそれぞれ記憶しておく。ＲＮＣ３は、記憶部１２にＩＰアドレスルーティングテーブル６１を記憶しておき、ＢＴＳ２は所定の記憶手段にＩＰアドレスルーティングテーブル６２を記憶しておく。これにより、ＲＮＣ３、ＢＴＳ２（＃０）では、データの送受信や転送をＩＰアドレスに基づくルーティング転送で行なう。
【００７１】
ここで、図７を参照してＩＰアドレスルーティングテーブル６１，６２を適用したダウンリンクデータの転送手順について説明する。ＲＮＣ３が移動端末１にＲＮＴＩ（ＩＰアドレス＝ａ）を割当てると、このＲＮＴＩ（「Ａ．１．１．１」）を移動端末１と対応付けて記憶部１２に記憶しておく。
【００７２】
ＲＮＣ３が移動端末１にＲＮＴＩを割当てた後、ＲＮＣ３から移動端末１にデータ送信する場合、ＲＮＣ３は割当てたＲＮＴＩをデータ送信先のＩＰアドレスに設定する。ＲＮＣ３の転送管理部１３は、ＲＮＴＩをデータ送信先のＩＰアドレスに設定したデータを、ＩＰアドレスルーティングテーブル６１に基づいて転送する。
【００７３】
ここで、ＩＰアドレスルーティングテーブル６１，６２の構成の一例について説明する。ＩＰアドレスルーティングテーブル６１は、受信データの宛先アドレス、次の送信先アドレス（次送信先）、リンクのタイプ（ｌｉｎｋ  ｔｙｐｅ）が対応付けされた情報テーブルである。
【００７４】
受信データの宛先アドレスは、転送先のＩＰアドレスであり例えば上位２４ビットで転送先のサブネットワークアドレスの範囲を示す情報である。次送信先アドレスは、ＲＮＣ２が受信したデータの転送先のアドレス（ＢＴＳ２やセル４のサブネットワークアドレス）を示す情報である。リンクのタイプは、無線リンクのタイプを示す情報であり、例えばＬＡＮ（Local Area Network）やセル番号（Ｃｅｌｌ＃０など）が設定される。
【００７５】
ＲＮＣ３の転送管理部１３は、移動端末１に転送するデータを受信すると、移動端末１に対応するＲＮＴＩ（ＩＰアドレス）を記憶部１２から抽出する。転送管理部１３は、このＲＮＴＩ（「Ａ．１．１．１」）にＢＴＳ２のサブネットワークのアドレス階層に相当するアドレスマスク「２５５．２５５．０．０」でマスクしたアドレス「Ａ．１．０．０」を抽出する。そして、転送管理部１３は、抽出したＲＮＴＩ（「Ａ．１．０．０」）に対応する受信データの次送信先のＩＰアドレス（宛先アドレス）と送信先のリンクタイプを、ＩＰアドレスルーティングテーブル６１から抽出する。
【００７６】
ＩＰアドレスルーティングテーブル６１では、宛先アドレス「Ａ．１．０．０／２４」（「Ａ．１．０」がサブネットワークアドレス）が次送信先「Ａ．１．０．０」、リンクのタイプ「ＬＡＮ」に対応するので、転送管理部１３は、次の送信先であるアドレス「Ａ．１．０．０」をデータ転送先に設定してＬＡＮに送信する。
【００７７】
転送管理部１３は、ＩＰアドレスルーティングテーブル６１から抽出した、次の送信先であるＢＴＳ２（＃０）のサブネットワークアドレス「Ａ．１．０．０」をデータの送信先に設定して、ＢＴＳ２（＃０）と接続するＬＡＮに送信する。ここでのＬＡＮが、ＩＰアドレスルーティングテーブル６１から抽出したリンクのタイプに対応する。これにより、ＲＮＣ３からデータ送信先のＢＴＳ２（＃０）にデータ送信される。
【００７８】
これにより、ＲＮＣ３からＢＴＳ２へ送信されるＦＰ（flame protocol）フレーム７１は、ＲＮＴＩがＩＰアドレス＝ａ（ＲＮＴＩ＝ａ）の情報とデータとを含み、フレームの送信先のＩＰアドレスがＩＰ（アドレス）＝ａに設定されたフレームとなる。
【００７９】
ＢＴＳ２（＃０）では、ＲＮＣ３からデータ受信すると、ＩＰアドレスルーティングテーブル６２により、受信したＩＰパケットの宛先アドレスから次の送信先を特定し、そのセルにＩＰパケットを送信する。ＢＴＳ２は、まずＲＮＴＩ（「Ａ．１．１．１」）にセル４のサブネットワークのアドレス階層に相当するアドレスマスク「２５５．２５５．２５５．０」でマスクしたアドレス「Ａ．１．１．０」を抽出する。
【００８０】
ＩＰアドレスルーティングテーブル６２では、宛先アドレス「Ａ．１．１．０／２４」（「Ａ．１．１」がサブネットワークアドレス）が次送信先「Ａ．１．１．０」、リンクのタイプ（Ｃｅｌｌ＃０）に対応するので、ＢＴＳ２は、次の送信先であるアドレス「Ａ．１．１．０」をデータ転送先に設定してセル４（Ｃｅｌｌ＃０）に送信する。すなわち、ＢＴＳ２からセル４（Ｃｅｌｌ＃０）に転送するフレームは、データ部を含むとともに、送信先のアドレスがアドレス「Ａ．１．１．０」に対応するＲＮＴＩ＝ａとなる。
【００８１】
移動端末１は、ＢＴＳ２から送信されたデータを受信する。移動端末１は、受信したデータに含まれるＲＮＴＩ（ＲＮＴＩ＝ａ）が、前記実施の形態１で移動端末１宛ての接続設定メッセージに含まれていた移動端末１に割当てられたＲＮＴＩ（ＲＮＴＩ＝ａ）と同一であれば、ＢＴＳ２からのデータは自分宛のメッセージであると判断し取得する。
【００８２】
これにより、通信システム１０４のＲＡＮ内では、ＲＮＣ３からの下りデータの転送を、移動端末１に割当てられたＲＮＴＩ（ＩＰアドレス）に基づいてＩＰルーティング転送できる。
【００８３】
なお、通信システムは、ＲＮＣ３、ＢＴＳ２、移動端末１によって構成される場合に限られず、無線基地局制御装置の機能を併せ持つＢＴＳ、移動端末によって構成してもよい。ここで、通信システムが無線基地局制御装置の機能を併せ持つＢＴＳ、移動端末によって構成される場合について説明する。
【００８４】
図８は、本発明にかかる通信システムの実施の形態３の他の構成を示す図である。なお、ここでは図８の各構成要素のうち図１，３，５〜７に示す通信システム１００〜１０４と同一機能を達成する構成要素については同一番号を付しており、重複する説明は省略する。
【００８５】
通信システム１０５は、通信システム１０４と同様の機能を備えた通信システムであり、無線基地局制御装置（ＲＮＣ３）の機能を併せ持つＢＴＳ２１、移動端末１を含んで構成されている。
【００８６】
通信システム１０５では、ＢＴＳ２１がＲＮＴＩなどからデータの次の送信先を特定するための情報テーブル（後述のＩＰアドレスルーティングテーブル６３）を備えている。すなわち、ＢＴＳ２１（＃０）は、受信データの宛先ＩＰアドレスまたは受信データの宛先ＩＰアドレスに対応するＲＮＴＩから、次の送信先となるＩＰアドレスと送信リンク種別を決定するためのＩＰアドレスルーティングテーブル６３を記憶部１２に記憶しておく。これにより、ＢＴＳ２１（＃０）では、データの送受信や転送をＩＰアドレスに基づくルーティング転送で行なう。
【００８７】
ここで、図８を参照してＩＰアドレスルーティングテーブル６３を適用したダウンリンクデータの転送手順について説明する。ＢＴＳ２１が移動端末１にＲＮＴＩ（ＩＰアドレス＝ａ）を割当てると、このＲＮＴＩを移動端末１と対応付けて記憶部１２に記憶しておく。
【００８８】
ＢＴＳ２１が移動端末１にＲＮＴＩを割当てた後、ＢＴＳ２１から移動端末１にデータ送信する場合、ＢＴＳ２１は割当てたＲＮＴＩをデータ送信先のＩＰアドレスに設定する。ＢＴＳ２１の転送管理部１３は、ＩＰアドレスルーティングテーブル６３により、ＲＮＴＩに設定した送信宛先のＩＰアドレスから次の送信先を特定し、データ転送を行なう。すなわち、ＢＴＳ２１の転送管理部１３は、移動端末１に転送するデータを受信すると、移動端末１に対応するＲＮＴＩ（ＩＰアドレス）を記憶部１２から抽出する。そして、転送管理部１３は、ＲＮＴＩ（「Ａ．１．１．１」）にセル４のサブネットワークのアドレス階層に相当するアドレスマスク「２５５．２５５．２５５．０」でマスクしたアドレス「Ａ．１．１．０」を抽出する。さらに、転送制御部１３は、抽出したＲＮＴＩ（「Ａ．１．１．０」）に対応する受信データの次の送信先のＩＰアドレス（宛先アドレス）と送信先のリンクタイプを、ＩＰアドレスルーティングテーブル６３から抽出する。ここでのＩＰアドレスルーティングテーブル６３は、ＩＰアドレスルーティングテーブル６２と同様の構成を有した情報テーブルである。
【００８９】
ＩＰアドレスルーティングテーブル６３では、宛先アドレス「Ａ．１．１．０／２４」（Ａ．１．１がサブネットワークアドレス）が次送信先「Ａ．１．１．０」、リンクのタイプ（Ｃｅｌｌ＃０）に対応するので、ＢＴＳ２１の転送管理部１３は、次の送信先であるアドレス「Ａ．１．１．０」をデータ転送先に設定してセル４（Ｃｅｌｌ＃０）に送信する。すなわち、ＢＴＳ２１からセル４（Ｃｅｌｌ＃０）に転送するフレームは、データ部を含むとともに、送信先のアドレスがアドレス「Ａ．１．１．０」に対応するＲＮＴＩ＝ａとなる。
【００９０】
移動端末１は、ＢＴＳ２から送信されたデータを受信する。移動端末１は、受信したデータに含まれるＲＮＴＩ（ＲＮＴＩ＝ａ）が、前記実施の形態１で移動端末１宛ての接続設定メッセージに含まれていた移動端末１に割当てられたＲＮＴＩ（ＲＮＴＩ＝ａ）と同一であれば、ＢＴＳ２からのデータは自分宛のメッセージであると判断し取得する。
【００９１】
これにより、通信システム１０４のＲＡＮ内では、ＢＴＳ２１からの下りデータの転送を、移動端末１に割当てられたＲＮＴＩ（ＩＰアドレス）に基づいてＩＰルーティング転送できる。
【００９２】
このように実施の形態３によれば、ＲＡＮ内での下りデータの転送をＩＰアドレスに基づくルーティング転送で実現できるので、転送処理が簡略化され転送遅延を削減することが可能となる。
【００９３】
実施の形態４．
つぎに、図９および図１０を用いてこの発明の実施の形態４について説明する。実施の形態４では、ＢＴＳ２が、移動端末１から受信したデータに基づいて、ＢＴＳ２が上位側の次送信先を特定するための情報テーブル（後述するＩＰアドレスルーティングテーブル６４）を記憶しておく。そして、ＲＡＮ内では、このＩＰアドレスルーティングテーブル６４に基づいて、移動端末１からの上りのデータの転送をＩＰルーティング転送する。
【００９４】
図９は、本発明にかかる通信システムの実施の形態４の構成を示す図である。なお、図９の各構成要素のうち図７に示した通信システム１０４と同一機能を達成する構成要素については同一番号を付しており、重複する説明は省略する。
【００９５】
通信システム１０６は、移動端末１から受信したデータに基づいて、ＢＴＳ２が上位側の次送信先を特定するための情報テーブル（後述するＩＰアドレスルーティングテーブル６４）を備えている。
【００９６】
ＲＮＣ３が移動端末１にＲＮＴＩ（ＩＰアドレス＝ａ）を割当てると、このＲＮＴＩを移動端末１と対応付けて記憶部１２に記憶しておく。ＢＴＳ２（＃０）の転送管理部１３では、ＲＮＴＩの割当て後に、移動端末１から無線チャネルでＲＮＴＩ設定されたデータを受信すると、このＲＮＴＩ（「Ａ．０．０．１」）にＲＮＣ３のサブネットワークのアドレス階層に相当するアドレスマスク「２５５．０．０．０」でマスクしたアドレス「Ａ．０．０．０」を抽出する。
【００９７】
さらに、ＢＴＳ２の転送管理部１３は、ＩＰアドレスルーティングテーブル６４を用いて、次送信先のＩＰアドレス「Ａ．０．０．０」を特定する。すなわち、転送管理部１３は、抽出したアドレス「Ａ．０．０．０」（宛先アドレス）に対応する次送信先のＩＰアドレス「Ａ．０．０．０」をＩＰアドレスルーティングテーブル６４から抽出する。
【００９８】
ＢＴＳ２の転送管理部１３は、ＩＰアドレスルーティングテーブル６４から抽出したＩＰアドレス（「Ａ．０．０．０」）を宛先ＩＰアドレスに設定するとともに、ＲＮＴＩ（「Ａ．０．０．１」）を送信元ＩＰアドレスとして設定した移動端末１からのデータをＲＮＣ３に送信する。
【００９９】
これにより、ＢＴＳ２からＲＮＣ３へ送信されるＦＰフレーム７２は、ＲＮＴＩがＩＰアドレス＝ａ（ＲＮＴＩ＝ａ）の情報とデータとを含み、フレームの送信先のＩＰアドレスがＳＡ＝ａ、フレームの受信先のＩＰアドレスがＤＡ＝「Ａ．０．０．０」に設定されたフレームとなる。
【０１００】
ＲＮＣ３では、ＢＴＳ２から送信されたデータ（パケット）の送信元ＩＰアドレスをＲＮＴＩ（「Ａ．０．０．１」）として認識し、データの発信元の移動端末１を特定する。これにより、通信システム１０６のＲＡＮ内のＢＴＳ２では、移動端末１からの上りデータの転送を移動端末１に割当てられたＲＮＴＩ（ＩＰアドレス）に基づいてＩＰルーティング転送できる。
【０１０１】
なお、通信システムは、ＲＮＣ３、ＢＴＳ２、移動端末１によって構成される場合に限られず、無線基地局制御装置の機能を併せ持つＢＴＳ、移動端末によって構成してもよい。ここで、通信システムが無線基地局制御装置の機能を併せ持つＢＴＳ、移動端末によって構成される場合について説明する。
【０１０２】
図１０は、本発明にかかる通信システムの実施の形態４の他の構成を示す図である。なお、ここでは図１０の各構成要素のうち図１，３，５〜９に示す通信システム１００〜１０６と同一機能を達成する構成要素については同一番号を付しており、重複する説明は省略する。
【０１０３】
通信システム１０７は、通信システム１０６と同様の機能を備えた通信システムであり、無線基地局制御装置（ＲＮＣ３）の機能を併せ持つＢＴＳ２１、移動端末１を含んで構成されている。
【０１０４】
ＢＴＳ２１が移動端末１にＲＮＴＩ（ＩＰアドレス＝ａ）を割当てると、このＲＮＴＩを移動端末１と対応付けて記憶部１２に記憶しておく。ＢＴＳ２１（＃０）の転送管理部１３では、ＲＮＴＩの割当て後に、移動端末１から無線チャネルでＲＮＴＩ設定されたデータを受信すると、移動端末１から送信されたデータ（パケット）の送信元ＩＰアドレスをＲＮＴＩ（「Ａ．０．０．１」）として認識し、データの発信元の移動端末１を特定する。
【０１０５】
これにより、通信システム１０７のＲＡＮ内のＢＴＳ２１では、移動端末１からの上りデータの転送を、移動端末１に割当てられたＲＮＴＩ（ＩＰアドレス）に基づいてＩＰルーティング転送できる。
【０１０６】
このように実施の形態４によれば、ＲＡＮ内での上りデータの転送をＩＰアドレスに基づくルーティング転送で実現できるので、転送処理が簡略化され転送遅延を削減することが可能となる。
【０１０７】
なお、実施の形態１〜４で説明したＲＮＣ３、ＢＴＳ２１が特許請求の範囲に記載の通信装置に対応し、実施の形態１〜４で説明したＢＴＳ２が特許請求の範囲に記載の情報転送装置に対応する。
【産業上の利用可能性】
【０１０８】
以上のように、本発明にかかる通信装置および情報転送装置は、無線アクセスネットワーク内でのＩＰデータ転送に適している。
【図面の簡単な説明】
【０１０９】
【図１】本発明にかかる通信システムの実施の形態１の構成を示す図である。
【図２】ＲＮＣの構成を示すブロック図である。
【図３】本発明にかかる通信システムの実施の形態１の他の構成を示す図である。
【図４】ＲＮＣの機能を備えたＢＴＳの構成を示すブロック図である。
【図５】本発明にかかる通信システムの実施の形態２の構成を示す図である。
【図６】本発明にかかる通信システムの実施の形態２の他の構成を示す図である。
【図７】本発明にかかる通信システムの実施の形態３の構成を示す図である。
【図８】本発明にかかる通信システムの実施の形態３の他の構成を示す図である。
【図９】本発明にかかる通信システムの実施の形態４の構成を示す図である。
【図１０】本発明にかかる通信システムの実施の形態４の他の構成を示す図である。
【符号の説明】
【０１１０】
１，１Ａ，１Ｂ  移動端末
２  ＢＴＳ
３  ＲＮＣ
４  セル
１１  通信Ｉ／Ｆ部
１２  記憶部
１３  転送管理部
１４，１５  メッセージ作成部
１９  制御部
５１，５２  サブネットワーク
６１〜６４  ＩＰアドレスルーティングテーブル
７１，７２  ＦＰフレーム
１００〜１０７  通信システム
１３１  アドレス設定手段
【図１】
2007251806.tif 000003
【図２】
2007251806.tif 000004
【図３】
2007251806.tif 000005
【図４】
2007251806.tif 000006
【図５】
2007251806.tif 000007
【図６】
2007251806.tif 000008
【図７】
2007251806.tif 000009
【図８】
2007251806.tif 000010
【図９】
2007251806.tif 000011
【図１０】
2007251806.tif 000012